(57)【特許請求の範囲】
【請求項１】
目地部を介して建てられた左右の建物間を接続するように形成された左右の四角形状の開口部の目地部側の外周部間を伸縮可能に覆う中央部がＵ字状の曲げられた筒状で、四隅部を内側あるいは外側に折り曲げ、三角形状の４対のヒダを形成し、該４対のヒダを固定したゴム材等の気密シートと、この気密シートの両端部の両側部および下部を左右の目地部側の躯体に気密状態で固定する躯体への固定具と、前記気密シートの両端部の上部を天井仕上材の目地部側端部に固定された一対の側板およびこの一対の側板の上部に気密状態で固定する固定具とからなる上部固定具とからなることを特徴とする目地部の気密装置。
【請求項２】
目地部を介して建てられた左右の建物間を接続するように形成された左右の四角形状の開口部の目地部側の外周部間を伸縮可能に覆う上下部の中央部が下方になるＵ字状の曲げられ、両側部の中央部が外側に突出するＵ字状に曲げられた筒状で四隅部を内側あるいは外側に折り曲げ、三角形状の４対のヒダを形成し、該４対のヒダを接着固定あるいは嵌合片の嵌合で固定したゴム材等の気密シートと、この気密シートの両端部の両側部および下部を左右の目地部側の躯体に気密状態で固定する躯体への固定具と、前記気密シートの両端部の上部を天井仕上材の目地部側端部に固定された一対の側板およびこの一対の側板の上部に気密状態で固定する固定具とからなる上部固定具とからなることを特徴とする目地部の気密装置。
【発明の詳細な説明】
【０００１】
【発明の属する技術分野】
本発明は目地部を介して建てられた左右の建物間を接続する部位に気密状態で接続する目地部の気密装置に関する。
【０００２】
【従来の技術】
従来、左右の建物間を接続する部位がクリーンルーム等の気密を必要とする一部となる場合には、地震等の揺れ動きに追従することができる目地装置の外周部に筒状に形成したゴムシートの両端部を左右の建物の開口部の目地部側の外周部の躯体に固定的に取付けている。
【０００３】
【発明が解決しようとする課題】
従来のゴムシートの取付け方法では筒状のゴムシートの両端部を左右の建物の開口部の目地部側の躯体に固定するため、天井部分に位置するゴムシート部位は天井目地装置上へ垂れ下がって当接した状態となり、地震等で左右の建物が異なる前後左右方向に揺れ動くと、天井目地装置に当接している部位のゴムシートが損傷してしまうという欠点があった。
【０００４】
本発明は以上のような従来の欠点に鑑み、左右の建物の開口部間の目地部を気密状態で覆う筒状の気密シートの上部が天井目地装置に当接した状態で取付けられるのを確実に阻止して、左右の建物が異なる前後左右方向に揺れ動いても、その揺れ動きに損傷することなく追従できるとともに、気密シートをスムーズに伸縮できるように折りたためるようにした目地部の気密装置を提供することを目的としている。
【０００５】
本発明の前記ならびにそのほかの目的と新規な特徴は次の説明を添付図面と照らし合わせて読むとより完全に明らかになるであろう。
ただし、図面はもっぱら解説のためのものであって、本発明の技術的範囲を限定するものではない。
【０００６】
【課題を解決するための手段】
上記目的を達成するために、本発明は目地部を介して建てられた左右の建物間を接続するように形成された左右の四角形状の開口部の目地部側の外周部間を伸縮可能に覆う中央部がＵ字状の曲げられた筒状で、四隅部を内側あるいは外側に折り曲げ、三角形状の４対のヒダを形成し、該４対のヒダを固定したゴム材等の気密シートと、この気密シートの両端部の両側部および下部を左右の目地部側の躯体に気密状態で固定する躯体への固定具と、前記気密シートの両端部の上部を天井仕上材の目地部側端部に固定された一対の側板およびこの一対の側板の上部に気密状態で固定する固定具とからなる上部固定具とで目地部の気密装置を構成している。
【０００７】
【発明の実施の形態】
以下、図面に示す実施の形態により、本発明を詳細に説明する。
【０００８】
図１ないし図１３に示す本発明の第１の実施の形態において、１は目地部２を介して建てられた左右の建物３、３間を接続するように形成された左右の開口部４、４を地震等によって前後左右方向に揺れ動いても、その揺れ動きを吸収できる床用目地装置５、側壁用目地装置６、６および天井用目地装置７の外周部を気密状態で覆うことができる本発明の目地部の気密装置で、この目地部の気密装置１は前記左右の建物３、３の左右の四角形状の開口部４、４の目地部側の外周部間を伸縮可能に覆う四角形状の筒状のゴム材等の気密シート８と、この気密シート８の両端部の両側部および下部を左右の目地部側の躯体３ａ、３ａに気密状態で固定する躯体への固定具９と、前記気密シート８の両端部の上部を天井仕上材１０、１０の目地部側端部に固定された一対の側板１１、１１およびこの一対の側板１１、１１の上部に気密状態で固定する固定具１２とからなる上部固定具１３とで構成されている。
【０００９】
前記気密シート８は図５ないし図８に示すように、軟質合成樹脂シートやゴムシートで上下部の中央部が下方になるＵ字状に曲げられ、両側部の中央部が外側に突出するＵ字状に曲げられた四角筒状の気密シート本体１４と、この気密シート本体１４の四隅部を内側に折り曲げ三角形状の４対のヒダ１５、１５と、この４対のヒダ１５、１５部分をそれぞれ接着あるいは溶着による固定部１６、１６とで構成されている。
【００１０】
前記躯体への固定具９は図９に示すように、前記気密シート８の両側端部および下部端部を押し圧することができる、複数個に分割された複数個の押え板１７と、この複数個の押え板１７に所定間隔で形成されたビス挿入孔１８と、このビス挿入孔１８にそれぞれ挿入されて、前記躯体３ａに螺合される多数本のタッピングビス等のビス１９とで構成されている。
【００１１】
前記上部固定具１３は図１０および図１１に示すように、前記天井仕上材１０、１０の目地部側端部に複数本のビス２０等によって下部が固定される上部が床躯体３ｂの底面近傍に位置する一対の側板１１、１１と、この一対の側板１１、１１の上部に前記気密シート８の上部端部を押し圧することができる、前記躯体への固定具９と同構成の押え板１７と、複数本のタッピングビス等のビス１９とからなる固定具１２とで構成されている。
【００１２】
上記構成の目地部の気密装置１は左右の建物３、３が地震等によって異なる左右方向に揺れ動いた場合には、図１２および図１３に示すように気密シート８の中央部が伸縮して、その揺れ動きを吸収することができる。
この時、天井用目地装置７の上部に位置する気密シート８の上部は天井仕上材１０、１０に取付けられた側板１１、１１の上部に取付けられているため、気密シート８の上部位置の底面と天井用目地装置７の上面との間に十分な隙間が確保でき、気密シート８が天井用目地装置７と摩擦状態で接触するのを効率よく阻止できる。
【００１３】
【発明の異なる実施の形態】
次に、図１４ないし図１９に示す本発明の異なる実施の形態につき説明する。なお、これらの本発明の異なる実施の形態の説明に当って、前記本発明の第１の実施の形態と同一構成部分には同一符号を付して重複する説明を省略する。
【００１４】
図１４ないし図１６に示す本発明の第２の実施の形態において、前記本発明の第１の実施の形態と主に異なる点は、４対のヒダ１５、１５部分にそれぞれビス２１で固定されるコ字状の嵌合片２２を嵌合させて固定した気密シート８Ａを用いた点で、このように形成された気密シート８Ａを用いて構成した目地部の気密装置１Ａにしても前記本発明の第１の実施の形態と同様な作用効果が得られる。
【００１５】
図１７ないし図１９に示す本発明の第３の実施の形態において、前記本発明の第１の実施の形態と主に異なる点は、４対のヒダ１５Ａ、１５Ａを外側に形成し、該４対のヒダ１５Ａ、１５Ａ部分を接着あるいは溶着による固定部１６、１６を形成した気密シート８Ｂを用いた点で、このように形成された気密シート８Ｂを用いて構成した目地部の気密装置１Ｂにしても、前記本発明の第１の実施の形態と同様な作用効果が得られる。
【００１６】
【発明の効果】
以上の説明から明らかなように、本発明にあっては次に列挙する効果が得られる。
【００１７】
（１）目地部を介して建てられた左右の建物間を接続するように形成された左右の四角形状の開口部の目地部側の外周部間を伸縮可能に覆う中央部がＵ字状の曲げられた筒状で、四隅部を内側あるいは外側に折り曲げ、三角形状の４対のヒダを形成し、該４対のヒダを固定したゴム材等の気密シートと、この気密シートの両端部の両側部および下部を左右の目地部側の躯体に気密状態で固定する躯体への固定具と、前記気密シートの両端部の上部を天井仕上材の目地部側端部に固定された一対の側板およびこの一対の側板の上部に気密状態で固定する固定具とからなる上部固定具とで構成されているので、左右の建物が地震等によって異なる前後左右方向に揺れ動いても、気密シートの伸縮によって気密シートを損傷させることなくその揺れ動きを吸収することができる。
したがって、左右の建物が地震等によって異なる前後左右方向に揺れ動いても気密状態を保つことができる。
【００１８】
（２）前記（１）によって、気密シートの上部を天井仕上材に固定された一対の側板の上部に固定しているので、ゴム等の軟質の気密シートをＵ字状に曲げた状態で固定しても、気密シートの上部の底面が天井目地装置に接触するのを効率よく阻止できる。
したがって、気密シートが天井目地装置によって損傷されるのを効率よく阻止できる。
【００１９】
（３）前記（１）によって、中央部をＵ字状に曲げ、四隅部を内側あるいは外側に折り曲げ三角形状の４対のヒダを形成し、該４対のヒダを固定した気密シートを用いているので、気密シートの両端部を四角形状に形成できる。
したがって、気密シートの両端部を気密状態で容易に取付けることができる。
【００２０】
（４）請求項２も前記（１）〜（３）と同様な効果が得られる。
【図面の簡単な説明】
【図１】本発明の第１の実施の形態の使用状態の説明図。
【図２】図１の２−２線に沿う断面図。
【図３】図１の３−３線に沿う断面図。
【図４】図１の４−４線に沿う断面図。
【図５】本発明の第１の実施の形態の気密シートの正面図。
【図６】本発明の第１の実施の形態の気密シートの側面図。
【図７】図５の７−７線に沿う断面図。
【図８】本発明の第１の実施の形態の気密シートのヒダ部を示す説明図。
【図９】本発明の第１の実施の形態の躯体への固定具の説明図。
【図１０】本発明の第１の実施の形態の上部固定具の説明図。
【図１１】図１０の１１−１１線に沿う断面図。
【図１２】本発明の第１の実施の形態の目地部が広くなった動作説明図。
【図１３】本発明の第１の実施の形態の目地部が狭くなった動作説明図。
【図１４】本発明の第２の実施の形態の縦断面図。
【図１５】本発明の第２の実施の形態の横断面図。
【図１６】本発明の第２の実施の形態の気密シートのヒダ部を示す説明図。
【図１７】本発明の第３の実施の形態の縦断面図。
【図１８】本発明の第３の実施の形態の横断面図。
【図１９】本発明の第３の実施の形態の気密シートのヒダ部を示す説明図。
【符号の説明】
１、１Ａ、１Ｂ：目地部の気密装置、
２：目地部、            ３：建物、
４：開口部、            ５：床用目地装置、
６：側壁用目地装置、    ７：天井用目地装置、
８、８Ａ、８Ｂ：気密シート、
９：躯体への固定具、    １０：天井仕上材、
１１：側板、            １２：固定具、
１３：上部固定具、      １４：気密シート本体、
１５：ヒダ、            １６：固定部、
１７：押え板、          １８：ビス挿入孔、
１９：ビス、            ２０：ビス、
２１：ビス、            ２２：嵌合片。
【図１】
0003684334.tif 000002
【図２】
0003684334.tif 000003
【図３】
0003684334.tif 000004
【図４】
0003684334.tif 000005
【図５】
0003684334.tif 000006
【図６】
0003684334.tif 000007
【図７】
0003684334.tif 000008
【図８】
0003684334.tif 000009
【図９】
0003684334.tif 000010
【図１０】
0003684334.tif 000011
【図１１】
0003684334.tif 000012
【図１２】
0003684334.tif 000013
【図１３】
0003684334.tif 000014
【図１４】
0003684334.tif 000015
【図１５】
0003684334.tif 000016
【図１６】
0003684334.tif 000017
【図１７】
0003684334.tif 000018
【図１８】
0003684334.tif 000019
【図１９】
0003684334.tif 000020